(57)【要約】【課題】室内に均一な光を照射して使用者に快適な生活空間を提供することができ、且つ天井などの取付対象に確実に取り付けることができる照明装置を提供する。【解決手段】筐体１の一面に設けた開口１ａの略全面から光が照射され、照明装置を天井に取り付けた場合に、室内に均一な光が照射される構成とした。そのため不均一な光が照射されることによる不快感または違和感を使用者に与えることはない。また連結部材９は、開口１ａから照射された光の光路を妨げないように筐体１に固定してあるので、連結部材９によって光の進行が妨害され、影が生じることを防止することができる。【選択図】図２
2011040229.tif 000002
【特許請求の範囲】
【請求項１】
取付対象に取り付けられる筐体と、該筐体に収容された光源とを備える照明装置において、
前記筐体の外面と前記取付対象とを連結する連結部材を備えること
を特徴とする照明装置。
【請求項２】
前記筐体の一面に開口を設けてあり、
前記開口に対向する前記筐体の内面に前記光源を装着してあることを特徴とする請求項１に記載の照明装置。
【請求項３】
前記連結部材は前記一面以外の前記筐体の箇所に固定されることを特徴とする請求項２に記載の照明装置。
【請求項４】
前記筐体の外側にて前記開口に対向しており、光を拡散して透過する透光性カバーと、
前記開口の周縁部を覆い、前記透光性カバーを保持する保持枠とを備え、
前記保持枠は、前記連結部材を収容する収容部を備えること
を特徴とする請求項２又は３に記載の照明装置。
【請求項５】
前記収容部は凹部であること
を特徴とする請求項４に記載の照明装置。
【請求項６】
前記開口の周縁部に設けてあり、前記透光性カバーの位置決めを行う位置決め部を備えること
を特徴とする請求項４又は５に記載の照明装置。
【請求項７】
前記筐体と前記保持枠との位置を整合させるための指標を備えること
を特徴とする請求項４から６のいずれか一つに記載の照明装置。
【請求項８】
前記筐体は直方体をなし、
前記収容部が対向する前記筐体の一側面及び該一側面に交差する前記筐体の他側面に固定部材を挿通する挿通孔がそれぞれ設けてあり、
前記一側面及び他側面に設けた挿通孔の数は異なり、
前記挿通孔が前記指標であること
を特徴とする請求項７に記載の照明装置。
【請求項９】
前記挿通孔の位置に対応する貫通孔が前記保持枠に設けてあり、
前記貫通孔及び挿通孔を挿通した前記固定部材は、前記保持枠と面一になるように前記貫通孔の内側に位置していること
を特徴とする請求項８に記載の照明装置。
【請求項１０】
前記挿通孔の位置に対応する貫通した取付孔が前記連結部材に設けてあり、
前記挿通孔及び取付孔を挿通した前記固定部材は、前記連結部材と面一になるように前記取付孔の内側に位置していること
を特徴とする請求項８又は９に記載の照明装置。
【請求項１１】
前記筐体は板材を折曲げて一部を接合して形成してあり、
前記板材同士の接合部分を溶接してあること
を特徴とする請求項１から１０のいずれか一つに記載の照明装置。
【請求項１２】
前記連結部材は前記筐体に仮止めするための仮止部を備えることを特徴とする請求項１から１１のいずれか一つに記載の照明装置。
【請求項１３】
前記筐体と前記連結部材との固定部分を補強する補強部材を備えることを特徴とする請求項１から１２のいずれか一つに記載の照明装置。
【請求項１４】
前記光源はＬＥＤであることを特徴とする請求項１から１３のいずれか一つに記載の照明装置。
【発明の詳細な説明】
【技術分野】
【０００１】
本発明は筐体に収容された複数の光源から光を照射する照明装置に関する。
【背景技術】
【０００２】
従来、室内又は屋外の照明用の光源として、白熱電球及び蛍光灯が主として用いられている。近年、環境意識の高まりを受け、これらの光源に代えて、白熱電球及び蛍光灯に比較して低消費電力かつ長寿命という特性を有する発光ダイオード（以下ＬＥＤという）を光源とした照明装置が用いられるようになっている（例えば特許文献１参照）。特に天井に取り付ける照明装置は長時間連続して使用することが多いため、ＬＥＤを用いた照明装置が急速に普及している。
【０００３】
天井に取り付ける照明装置は、天井内に設けられたアンカーボルトなどの取付部材を介して天井に取り付けることができるように構成されている。例えば、フレームに開口を設けて、該開口の両側にＬＥＤパネルを装着して照明装置を構成することで、作業者は開口に手を差し入れて、取付部材にフレームを固定することができる。
【先行技術文献】
【特許文献】
【０００４】
【特許文献１】特開２００９−１６０９３号公報
【発明の概要】
【発明が解決しようとする課題】
【０００５】
しかし開口にはＬＥＤパネルを装着することができないため、室内などの照明対象全体に亘って均一な照明を行うことができず、使用者に違和感又は不快感を与えるおそれがある。均一な照明を行うべく、フレームを大型にして、開口の周囲に多数のＬＥＤパネルを装着することが考えられるが、照明装置が大型化するという問題が生じる。
【０００６】
本発明は斯かる事情に鑑みてなされたものであり、天井などの取付対象に取り付ける場合であっても、大型化することなく、室内などの照明対象全体に亘って均一な照明を行うことができる照明装置を提供することを目的とする。
【課題を解決するための手段】
【０００７】
本発明に係る照明装置は、取付対象に取り付けられる筐体と、該筐体に収容された光源とを備える照明装置において、前記筐体の外面と前記取付対象とを連結する連結部材を備えることを特徴とする。
【０００８】
本発明においては、連結部材は、筐体の外面と天井などの取付対象とを連結するので、照明装置を天井に取り付けるための開口を筐体に設ける必要がなく、筐体の内側にて所望の位置に光源を装着することができる。
【０００９】
本発明に係る照明装置は、前記筐体の一面に開口を設けてあり、前記開口に対向する前記筐体の内面に前記光源を装着してあることを特徴とする。
【００１０】
本発明においては、開口に対向する筐体の内面に光源が装着してあるので、開口から均一な光が確実に照射される。
【００１１】
本発明に係る照明装置は、前記連結部材は前記一面以外の前記筐体の箇所に固定されることを特徴とする。
【００１２】
本発明においては、開口を開設した筐体の一面以外の箇所に連結部材を固定しているので、開口から照射された光の進行を連結部材が妨害することを確実に回避することができる。
【００１３】
本発明に係る照明装置は、前記筐体の外側にて前記開口に対向しており、光を拡散して透過する透光性カバーと、前記開口の周縁部を覆い、前記透光性カバーを保持する保持枠とを備え、前記保持枠は、前記連結部材を収容する収容部を備えることを特徴とする。
【００１４】
本発明においては、連結部材は保持枠の収容部に収容されるので、連結部材が保持枠よりも外側に突出することを回避することができる。
【００１５】
本発明に係る照明装置は、前記収容部は凹部であることを特徴とする。
【００１６】
本発明においては、凹部内にて、前記連結部材が筐体に固定されるので、連結部材が保持枠よりも外側に突出することを防ぎ、照明装置の外観意匠性を向上させることができる。
【００１７】
本発明に係る照明装置は、前記開口の周縁部に設けてあり、前記透光性カバーの位置決めを行う位置決め部を備えることを特徴とする。
【００１８】
本発明においては、位置決め部によって、筐体に対する透光性カバーの位置決めを行うので、照明装置を迅速に組み立てることができる。
【００１９】
本発明に係る照明装置は、前記筐体と前記保持枠との位置を整合させるための指標を備えることを特徴とする。
【００２０】
本発明においては、例えば筐体が平面視正方形状をなす対称な形状であったとしても、筐体と保持枠との組立時において、組立作業者が指標を確認することで、筐体と保持枠との相対位置を容易に整合させることができる。
【００２１】
本発明に係る照明装置は、前記筐体は直方体をなし、前記収容部が対向する前記筐体の一側面及び該一側面に交差する前記筐体の他側面に固定部材を挿通する挿通孔がそれぞれ設けてあり、前記一側面及び他側面に設けた挿通孔の数は異なり、前記挿通孔が前記指標であることを特徴とする。
【００２２】
本発明においては、直方体をなす筐体の一側面及び他側面に設けた挿通孔の数を異ならせることによって、組立作業者は挿通孔を指標として筐体と保持枠との相対位置を容易に整合させることができる。筐体と保持枠とを固定するねじなどの固定部材を挿通する挿通孔を指標とすることで、別途指標を設けることなく簡素な構成にて、筐体と保持枠との相対位置を容易に整合させることができる。
【００２３】
本発明に係る照明装置は、前記挿通孔の位置に対応する貫通孔が前記保持枠に設けてあり、前記貫通孔及び挿通孔を挿通した前記固定部材は、前記保持枠と面一になるように前記貫通孔の内側に位置していることを特徴とする。
【００２４】
本発明においては、固定部材として、例えば皿子ねじを使用し、皿子ねじの頭部を保持枠と面一になるように貫通孔の内側に配置することで、照明装置の外観意匠性を向上させることができる。
【００２５】
本発明に係る照明装置は、前記挿通孔の位置に対応する貫通した取付孔が前記連結部材に設けてあり、前記挿通孔及び取付孔を挿通した前記固定部材は、前記連結部材と面一になるように前記取付孔の内側に位置していることを特徴とする。
【００２６】
本発明においては、固定部材として、例えば皿子ねじを使用し、皿子ねじの頭部を連結部材と面一になるように取付孔の内側に配置することで、照明装置の外観意匠性を向上させることができる。
【００２７】
本発明に係る照明装置は、前記筐体は板材を折曲げて一部を接合して形成してあり、前記板材同士の接合部分を溶接してあることを特徴とする。
【００２８】
本発明においては、板材同士の接合部分を溶接してあるので、接合部分から光が漏洩することを防止し、照明装置の品位を向上させることができる。
【００２９】
本発明に係る照明装置は、前記連結部材は前記筐体に仮止めするための仮止部を備えることを特徴とする。
【００３０】
本発明においては、連結部材の仮止部にて保持枠を筐体に仮止めするので、天井などの取付の困難な取付対象に照明装置を取り付ける場合であっても、短時間で取付作業を終了することができる。
【００３１】
本発明に係る照明装置は、前記筐体と前記連結部材との固定部分を補強する補強部材を備えることを特徴とする。
【００３２】
本発明においては、補強部材によって筐体と連結部材とを強固に固定することができ、安全性を向上させることができる。
【００３３】
本発明に係る照明装置は、前記光源はＬＥＤであることを特徴とする。
【００３４】
本発明においては、光源としてＬＥＤを使用することで、発熱量及び消費電力を蛍光管及び白熱電球に比較して抑制することができる。
【発明の効果】
【００３５】
連結部材は、筐体の外面と天井などの取付対象とを連結するので、照明装置を天井に取り付けるための開口を筐体に設ける必要がない。そのため筐体が小型であっても、筐体の内側にて所望の位置に光源を装着することで、室内などの照明対象全体に亘って均一な照明を行うことができる。
【図面の簡単な説明】
【００３６】
【図１】実施の形態１に係る照明装置を略示する外観図である。
【図２】照明装置を略示する分解斜視図である。
【図３】照明装置を略示する部分縦断面図である。
【図４】位置決め部を略示する部分拡大斜視図である。
【図５】筐体の製造工程を説明する説明図である。
【図６】照明装置、連結部材及び天井パネルを略示する分解斜視図である。
【図７】天井パネルに取り付けた照明装置を略示する縦断面図である。
【図８】実施の形態２に係る照明装置を略示する部分縦断面図である。
【発明を実施するための形態】
【００３７】
（実施の形態１）
以下本発明を実施の形態１に係る照明装置を示す図面に基づいて詳述する。図１は照明装置を略示する外観図、図２は照明装置を略示する分解斜視図、図３は照明装置を略示する部分縦断面図、図４は位置決め部を略示する部分拡大斜視図、図５は筐体の製造工程を説明する説明図である。
【００３８】
図において１は光源を収容するアルミ製の筐体である。該筐体１は平面視正方形状をなす薄型の直方体であり、正方形状をなす筐体１の一面には開口１ａが設けてある。該開口１ａの縁部分を切り起こして、外向きに突出した位置決め部２が形成してあり（図４参照）、該位置決め部２は前記一面に対して略垂直になっている。位置決め部２は開口１ａの各縁部分にそれぞれ二つずつ形成されている。
【００３９】
なお筐体１は正方形部１０と、正方形部１０の各辺から延出した矩形の四つのフラップ部１１とからなる板材１２を基に製造されており（図５（ａ）参照）、板材１２のフラップ部１１を内側に折り曲げて（図５（ｂ）参照）、各フラップ部１１の近接する縁部分を溶接することによって製造されている（図５（ｃ）参照）。そのため光源の光が筐体１の縁部分から漏出することはない。
【００４０】
図２に示すように、筐体１の内側において、前記一面に対向する筐体１の他面１ｂの略全面に複数のＬＥＤ基板３がボルト締めにて取り付けてある。ＬＥＤ基板３は、基板３ａと、該基板３ａの一面に対してマトリックス状に実装された複数のＬＥＤ３ｂとを備えている。ＬＥＤ基板３は開口１ａの略全面に対面している。基板３ａの一縁部には基板３ａ同士を接続する接続コネクタ３ｃが設けてあり、前記一縁部に対向する基板３ａの他縁部には、後述する電源ユニットに接続する電源コネクタ３ｄが設けてある。各ＬＥＤ基板３は接続コネクタ３ｃを互いに接続しており、電源コネクタ３ｄは筐体１の他面１ｂに開設された孔（図示せず）に挿通された導線（図示せず）に接続している。該導線は電源ユニットに接続されている。
【００４１】
ＬＥＤ基板３の周囲に断面Ｌ形の補強部材４が複数配してある。該補強部材４は、筐体１の他面１ｂの両側縁部にそれぞれ三つずつ並設されている。該補強部材４は前記他面１ｂに固定される固定板部４ａと、該固定板部４ａに略直角な直角板部４ｂとを備える。固定板部４ａは筐体１の他面１ｂに対面しており、固定板部４ａには貫通した孔４ａａが設けてある（図３参照）。直角板部４ｂは固定板部４ａの縁部分に連接しており、前記他面１ｂに直角な筐体１の第１側面１ｃ又は該第１側面１ｃに対向する第２側面１ｄに対面している。また直角板部４ｂには貫通した孔４ｂａが設けてある。
【００４２】
筐体１の他面１ｂには、固定板部４ａの孔４ａａに対応する位置において、貫通したリベット孔１ｂａが設けてある。該リベット孔１ｂａ及び前記孔４ａａに、筐体１の外側からリベット５が挿入してあり、該リベット５によって補強部材４が筐体１の他面１ｂに固定してある。また第１側面１ｃ及び第２側面１ｄには、前記孔４ｂａに対応する位置に三つの挿通孔５０、５０、５０が設けてあり、更に該三つの挿通孔５０、５０、５０の間であって、三つの挿通孔５０、５０、５０よりも開口１ａ側に、雌ねじを形成した二つの挿通孔５１、５１が設けてある。また第１側面１ｃ及び第２側面１ｄに直角な筐体１の第３側面１ｅ及び第４側面１ｆに、それぞれ二つの挿通孔５１、５１が設けてある。すなわち第１側面１ｃ及び第２側面１ｄには五つの挿通孔が設けてあり、第３側面１ｅ及び第４側面１ｆには二つの挿通孔が設けてある。
【００４３】
前記開口１ａよりも若干大きな縦寸法及び横寸法を備える正方形状の透光性カバー６が開口１ａを塞いでいる。縦方向及び横方向において、透光性カバー６の開口１ａに対する位置は前記位置決め部２によって整合している。透光性カバー６は合成樹脂からなり、ＬＥＤ３ｂから照射された光を拡散して透過するように構成されている。
【００４４】
前記透光性カバー６は正方形状の保持枠７によって筐体１に保持されている。該保持枠７は鉄、アルミなどの金属からなり、幅狭の正方形状の額縁部７ａと、該額縁部７ａの各辺から透光性カバー６に向けてそれぞれ延出しており、前記額縁部７ａの辺を長手方向の辺とした矩形状の四つの側面部７ｂ、７ｂ、・・・、７ｂとを備える。
【００４５】
額縁部７ａの縦寸法及び横寸法は透光性カバー６よりも若干大きくなっており、額縁部７ａは開口１ａの縁部分との間で透光性カバー６の縁部分を挟持している。各側面部７ｂは前述した第１側面１ｃ〜第４側面１ｆに密着した状態でそれぞれ対向している。各側面部７ｂには二つの貫通孔５２、５２がそれぞれ設けてあり、該貫通孔５２、５２は、第１側面１ｃ〜第４側面１ｆに設けた挿通孔５１、５１に対応している。
【００４６】
また第１側面１ｃ及び第２側面１ｄに対向する保持枠７の二つの側面部７ｂ、７ｂには、長手方向に沿った細長い切欠状の凹部７ｃ、７ｃがそれぞれ形成してある。
前記貫通孔５２、５２にはねじ６１、６１が挿入してあり、挿入したねじ６１、６１を、雌ねじを形成した挿通孔５１、５１に螺合させることによって、保持枠７を筐体１に固定している。
【００４７】
筐体１の他面１ｂの外側には、電源ユニット８ａを収容する箱形の電源フレーム８が固定してある。電源ユニット８ａは、交流電流を直流電流に整流する全波整流部、ＬＥＤ３ｂの順電流を一定にする定電流部、及びＬＥＤ３ｂの調光を行う調光回路などを備えている。
【００４８】
電源フレーム８の側面には商用電源を接続する電源端子８ｂと、調光信号を生成する信号生成部（図示せず）と接続するための調光端子８ｃとが設けてある。電源端子８ｂ及び調光端子８ｃは電源ユニット８ａに接続してある。外部機器から調光指令が調光端子８ｃに入力され、入力された調光指令に基づいて信号生成部が調光信号を生成する。電源ユニット８ａは生成した調光信号に基づいて、商用電源から入力された電圧を制御するように構成されている。
【００４９】
電源フレーム８の両側には、照明装置を天井に連結するための二つの連結部材９、９が配置される。連結部材９は、前記筐体１の第１側面１ｃ又は第２側面１ｄに対向する第１板部９ａと、該第１板部９ａに対して直角であり、前記筐体１の他面１ｂに対向する第２板部９ｂと、該第２板部９ｂに対して直角であり、筐体１と反対側に延出した第３板部９ｃと、該第３板部９ｃに対して直角であり、電源フレーム８側に延出した第４板部９ｄとを備える。
【００５０】
第１板部９ａの縦寸法及び横寸法は前記凹部７ｃと略同寸であり、第１板部９ａの厚さ寸法と凹部７ｃの厚さ寸法とは略同じである。そのため第１板部９ａは凹部７ｃ内に収まり、凹部７ｃ内に収まった第１板部９ａと保持枠７の側面部７ｂとは面一になる。
第１板部９ａには、第１側面１ｃ又は第２側面１ｄに設けた三つの挿通孔５０、５０、５０に対応する貫通した三つの取付孔９ａａ、９ａａ、９ａａが設けてあり、該取付孔９ａａ、９ａａ、９ａａ、挿通孔５０、５０、５０及び補強部材４の孔４ｂａにボルト６０、６０、６０を挿入してある。ボルト６０、６０、６０はナットと協働して連結部材９を筐体１に固定する。
【００５１】
第２板部９ｂには、前記リベット５に対応する位置において、リベット５の頭部よりも大径の孔９ｂａが設けてある。リベット５の頭部は第２板部９ｂに干渉することなく、孔９ｂａの内側に位置している。なおリベット５の頭部の厚さ寸法は孔９ｂａの軸方向寸法と同じかそれよりも小さくなるように設計されており、リベット５の頭部が孔９ｂａから突出しないようにしてある。
【００５２】
第３板部９ｃは第２板部９ｂの縁部分に連接しており、筐体１と反対側へ適長延出している。第４板部９ｄは第３板部９ｃの延出端部に連接しており、第４板部９ｄには複数のボルト孔９ｄａが設けてある。
【００５３】
本発明に係る照明装置は連結部材９を介して天井などの取付対象に取り付けられる。図６は照明装置、連結部材及び天井パネルを略示する分解斜視図、図７は天井パネルに取り付けた照明装置を略示する縦断面図である。
【００５４】
天井パネル２０は、頂部を上側に位置させた角錐台状をなし、天井パネル２０の頂部及び底部は開放されている。天井パネル２０の頂部の周縁部には取付枠２１がねじ止めにて設けてあり、該取付枠２１には、前記第４板部９ｄに設けたボルト孔９ｄａに対応する取付孔２１ａが設けてある。
【００５５】
照明装置の天井パネル２０への取り付けは以下の手順で行われる。まず前記第４板部９ｄに設けたボルト孔９ｄａが取付孔２１ａと重畳するように、連結部材９を取付枠２１の下側に配置し、取付枠２１の上側から取付ボルト２２を取付孔２１ａ及びボルト孔９ｄａに挿通する。そして挿通した取付ボルト２２に取付ナット２３を螺合させて、連結部材９を取付枠２１に固定する。
【００５６】
次に前記第１板部９ａと凹部７ｃとの位置が整合するように、筐体１を連結部材９に近接させる。そして前述した第１板部９ａに設けた三つの取付孔９ａａ、９ａａ、９ａａ、第１側面１ｃ及び第２側面１ｄに設けた三つの挿通孔５０、５０、５０並びに補強部材４の孔４ｂａにボルト６０、６０、６０を挿通し、ナットと協働して筐体１を連結部材９に固定する。
【００５７】
実施の形態１に係る照明装置にあっては、連結部材９は、筐体１の外面と天井などの取付対象とを連結するので、照明装置を天井に取り付けるための開口を筐体１に設ける必要がない。そのため筐体１が小型であっても、筐体１の内側にて所望の位置にＬＥＤ３ｂを装着することで、室内などの照明対象全体に亘って均一な照明を行うことができる。
【００５８】
また開口１ａに対向する筐体１の他面１ｂ全体にＬＥＤ３ｂが装着してあるので、筐体１の一面に設けた開口１ａの略全面から光が照射され、照明装置を天井に取り付けた場合に、室内に均一な光が照射される。そのため不均一な光が照射されて使用者に不快感または違和感を与えることはない。
【００５９】
また開口１ａを開設した筐体１の一面以外の箇所に連結部材９を固定しているので、連結部材９によって光の進行が妨害され、影が生じることを防止することができる。
【００６０】
また保持枠７に形成された凹部７ｃ内にて、前記連結部材９が筐体１に固定されるので、連結部材９が保持枠７よりも外側に突出することを防ぎ、照明装置の外観意匠性を向上させることができる。また前記開口１ａから照射された光が透光性カバー６にて拡散されるので、均一な光を確実に照射することができる。
【００６１】
また位置決め部２によって、筐体１に対する透光性カバー６の位置決めを行うので、照明装置を迅速に組み立てることができる。
【００６２】
また筐体１は平面視正方形状をなすが、第１側面１ｃ及び第２側面１ｄには五つの挿通孔が設けてあり、第３側面１ｅ及び第４側面１ｆには二つの挿通孔が設けてあるので、筐体１と保持枠７との組立時において、組立作業者が挿通孔の数を指標として、保持枠７の向きを確認することで、筐体１と保持枠７との相対位置を容易に整合させることができる。すなわち、挿通孔５０、５１を指標とすることで、別途指標を設けることなく、簡素な構成にて凹部７ｃの内側に三つの挿通孔５０、５０、５０を位置させることができる。
【００６３】
また筐体１を構成する板材１２同士の接合部分を溶接してあるので、接合部分から光が漏洩することを防止し、照明装置の品位を向上させることができる。また保持枠７によって開口１ａの周縁部、すなわち開口１ａ周縁及び第１側面１ｃ〜第４側面１ｆ付近を覆うので、筐体１からの光漏れを確実に防止することができ、且つ昆虫などの異物の侵入を防止することができる。
【００６４】
また補強部材４によって筐体１と連結部材９とを強固に固定することができ、安全性を向上させることができる。
【００６５】
また光源としてＬＥＤ３ｂを使用することで、蛍光管及び白熱電球を使用する場合と比較して発熱量及び消費電力を抑制することができる。
【００６６】
（実施の形態２）
以下本発明を実施の形態２に係る照明装置を示す図面に基づいて詳述する。図８は照明装置を略示する部分縦断面図である。
図８に示すように、筐体１の第１側面１ｃ及び第２側面１ｄにはスリット状の仮止孔１ｇがそれぞれ開設してある。該仮止孔１ｇは、前記保持枠７を筐体１に取り付けた場合に凹部７ｃの内側に位置する。また孔４ｂａの内周には雌ねじが形成してある。
【００６７】
第１板部９ａの下端部には、筐体１の第１側面１ｃ（又は第２側面１ｄ）に向けて延出した板状の仮止部９ｅが設けてある。該仮止部９ｅは前記仮止孔１ｇに対応する位置に配してあり、仮止孔１ｇに挿入してある。仮止部９ｅは照明装置を連結部材９に仮止めする場合に、仮止孔１ｇに挿入される。なお仮止部９ｅは仮止孔１ｇに挿入できるように設計されていることは言うまでもない。
【００６８】
第１板部９ａの前記取付孔９ａａと保持枠７の前記貫通孔５２は、その内周面が第１側面１ｃ（又は第２側面１ｄ）に向かうに従って縮径するように傾斜している。前記取付孔９ａａには皿子ねじ６２が挿入してあり、挿通孔５０を通って、前記孔４ｂａに螺合している。該皿子ねじ６２によって連結部材９と筐体１とを連結している。皿子ねじ６２の頭部の軸方向の寸法、すなわち厚みは孔の９ａａ軸方向の寸法と略同じであり、第１板部９ａと皿子ねじ６２の頭部の頂面とは面一になっている。
【００６９】
また前記貫通孔５２にも皿子ねじ６３が挿入してあり、該皿子ねじ６３は雌ねじを形成した前記挿通孔５１に螺合して、保持枠７を筐体１に固定している。皿子ねじ６３の頭部の軸方向の寸法、すなわち厚みは貫通孔５２の軸方向の寸法と略同じであり、保持枠７の側面部７ｂと皿子ねじ６３の頭部の頂面とは面一になっている。実施の形態１において述べたように、凹部７ｃ内に収まった第１板部９ａと保持枠７の側面部７ｂとは面一であるので、連結部材９に取り付けた照明装置の全ての側面は外観上面一になる。
【００７０】
実施の形態２に係る照明装置は、皿子ねじ６２、６３を使用して、連結部材９と筐体１とを連結し、保持枠７を筐体１に固定し、皿子ねじ６２、６３の頭部を保持枠７の側面部７ｂ及び連結部材９の第１板部９ａと面一になるように配置してあるので、照明装置の外観意匠性を向上させることができる。
【００７１】
また連結部材９の仮止部９ｅにて保持枠７を筐体１に仮止めするので、天井などの取付の困難な取付対象に照明装置を取り付ける場合であっても、短時間で取付作業を終了させることができる。
【００７２】
なお実施の形態１及び２に係る照明装置において、開口１ａに対向する筐体１の他面１ｂにＬＥＤ３ｂが装着してあるが、開口１ａの略全面から光が照射される限り、筐体１の側面にＬＥＤ３ｂを装着しても良く、また筐体１の他面１ｂに対して傾斜した傾斜部を筐体１内に形成し、該傾斜部にＬＥＤ３ｂを装着しても良い。また実施の形態１及び２に係る照明装置は光源としてＬＥＤを使用しているが、ＬＥＤに代えてＬＤ（Laser Diode）、ＥＬ（Electro-Luminescence）などを光源として使用しても良い。
【００７３】
実施の形態１及び２は本発明の一例であって、本発明は特許請求の範囲に記載した事項の範囲内において種々変更した形態にて実施することが可能であることは言うまでもない。
【符号の説明】
【００７４】
１  筐体
１ｇ  仮止孔
２  位置決め部
３ｂ  ＬＥＤ（光源）
４  補強部材
６  透光性カバー
７  保持枠
７ｃ  凹部
９  連結部材
９ａａ  取付孔
９ｅ  仮止部
１２  板材
５０  挿通孔（指標）
５１  挿通孔（指標）
５２  貫通孔
６０  ねじ（固定部材）
６１  ボルト（固定部材）
６２、６３  皿子ねじ（固定部材）
【図１】
2011040229.tif 000003
【図２】
2011040229.tif 000004
【図３】
2011040229.tif 000005
【図４】
2011040229.tif 000006
【図５】
2011040229.tif 000007
【図６】
2011040229.tif 000008
【図７】
2011040229.tif 000009
【図８】
2011040229.tif 000010